【手続補正書】
【提出日】平成21年9月2日(2009.9.2)
【手続補正１】
【補正対象書類名】特許請求の範囲
【補正対象項目名】全文
【補正方法】変更
【補正の内容】
【特許請求の範囲】
【請求項１】
対象の位置を示す第１の位置情報を取得する位置情報取得手段と、
前記位置情報取得手段によって取得した第１の位置情報を１以上記憶させる記憶手段と、
対象を表す名称として任意に設定された名称と位置を示す第２の位置情報とを他の通信装置から取得する情報取得手段と、
前記情報取得手段によって取得した名称と第２の位置情報とに基づいた１以上の第１の位置情報を前記記憶手段によって記憶させた１以上の第１の位置情報から検索する検索手段と、
前記検索手段によって検索された１以上の第１の位置情報を他の通信装置に送信する送信手段と、
を備えた情報処理装置。
【請求項２】
前記位置情報取得手段は、第１の位置情報を前記対象から取得することを特徴とする請求項１に記載の情報処理装置。
【請求項３】
前記第１の位置情報は、前記対象が取得した位置情報であることを特徴とする請求項１または２のいずれかに記載の情報処理装置。
【請求項４】
前記位置情報取得手段によって取得した第１の位置情報で、前記記憶手段によって記憶された第１の位置情報を更新する更新手段を、さらに備えたことを特徴とする請求項１乃至３のいずれか一項に記載の情報処理装置。
【請求項５】
前記検索手段は、前記情報取得手段によって取得した名称に対応する対象であってその位置が前記第２の位置情報に基づいた所定の領域に含まれるような対象の位置を示す第１の位置情報を、前記記憶手段によって記憶させた１以上の第１の位置情報から検索することを特徴とする請求項１乃至４のいずれか一項に記載の情報処理装置。
【請求項６】
前記第２の位置情報に基づいた地図情報を他の通信装置に送信する地図情報送信手段を、さらに備えたことを特徴とする請求項１乃至５のいずれか一項に記載の情報処理装置。
【請求項７】
前記検索手段によって検索された１以上の対象が表示された地図情報を他の通信装置に送信する第２の地図情報送信手段を、さらに備えたことを特徴とする請求項１乃至６のいずれか一項に記載の情報処理装置。
【請求項８】
対象の位置を示す第１の位置情報を取得する位置情報取得手段と、
前記位置情報取得手段によって取得した第１の位置情報を１以上記憶させる記憶手段と、
対象を表す名称として任意に設定された名称と位置を示す第２の位置情報とを他の通信装置から取得する情報取得手段と、
前記情報取得手段によって取得した名称と第２の位置情報とに基づいた１以上の第１の位置情報を前記記憶手段によって記憶させた１以上の第１の位置情報から検索する検索手段と、
前記検索手段によって検索された１以上の第１の位置情報を他の通信装置に送信する送信手段と、
を備えた情報処理システム。
【請求項９】
前記位置情報取得手段は、第１の位置情報を前記対象から取得することを特徴とする請求項８に記載の情報処理システム。
【請求項１０】
前記第１の位置情報は、前記対象が取得した位置情報であることを特徴とする請求項８または９のいずれかに記載の情報処理システム。
【請求項１１】
前記位置情報取得手段によって取得した第１の位置情報で、前記記憶手段によって記憶された第１の位置情報を更新する更新手段を、さらに備えたことを特徴とする請求項８乃至１０のいずれか一項に記載の情報処理システム。
【請求項１２】
前記検索手段は、前記情報取得手段によって取得した名称に対応する対象であってその位置が前記第２の位置情報に基づいた所定の領域に含まれるような対象の位置を示す第１の位置情報を、前記記憶手段によって記憶させた１以上の第１の位置情報から検索することを特徴とする請求項８乃至１１のいずれか一項に記載の情報処理システム。
【請求項１３】
前記第２の位置情報に基づいた地図情報を他の通信装置に送信する地図情報送信手段を、さらに備えたことを特徴とする請求項８乃至１２のいずれか一項に記載の情報処理システム。
【請求項１４】
前記検索手段によって検索された１以上の対象が表示された地図情報を他の通信装置に送信する第２の地図情報送信手段を、さらに備えたことを特徴とする請求項８乃至１３のいずれか一項に記載の情報処理システム。
【請求項１５】
情報処理装置に、
対象の位置を示す第１の位置情報を取得する位置情報取得ステップと、
前記位置情報取得ステップで取得した第１の位置情報を１以上記憶する記憶ステップと、
対象を表す名称として任意に設定された名称と位置を示す第２の位置情報とを他の通信装置から取得する情報取得ステップと、
前記情報取得ステップで取得した名称と第２の位置情報とに基づいた１以上の第１の位置情報を前記記憶ステップで記憶した１以上の第１の位置情報から検索する検索ステップと、
前記検索ステップで検索した１以上の第１の位置情報を他の通信装置に送信する送信ステップと、
を実行させることを特徴とする情報処理方法。
【請求項１６】
前記位置情報取得ステップは、第１の位置情報を前記対象から取得するステップであることを特徴とする請求項１５に記載の情報処理方法。
【請求項１７】
前記第１の位置情報は、前記対象が取得した位置情報であることを特徴とする請求項１５または１６のいずれかに記載の情報処理方法。
【請求項１８】
前記位置情報取得ステップで取得した第１の位置情報で、前記記憶ステップで記憶した第１の位置情報を更新する更新ステップを、さらに前記情報処理装置に実行させることを特徴とする請求項１５乃至１７のいずれか一項に記載の情報処理方法。
【請求項１９】
前記検索ステップは、前記情報取得ステップで取得した名称に対応する対象であってその位置が前記第２の位置情報に基づいた所定の領域に含まれるような対象の位置を示す第１の位置情報を、前記記憶ステップで記憶した１以上の第１の位置情報から検索することを特徴とする請求項１５乃至１８のいずれか一項に記載の情報処理方法。
【請求項２０】
前記第２の位置情報に基づいた地図情報を他の通信装置に送信する地図情報送信ステップを、さらに前記情報処理装置に実行させることを特徴とする請求項１５乃至１９のいずれか一項に記載の情報処理方法。
【請求項２１】
前記検索ステップで検索した１以上の対象が表示された地図情報を他の通信装置に送信する第２の地図情報送信ステップを、さらに前記情報処理装置に実行させることを特徴とする請求項１５乃至２０のいずれか一項に記載の情報処理方法。
【手続補正２】
【補正対象書類名】明細書
【補正対象項目名】発明の名称
【補正方法】変更
【補正の内容】
【発明の名称】情報処理装置、情報処理システム、及び情報処理方法
【手続補正３】
【補正対象書類名】明細書
【補正対象項目名】０００１
【補正方法】変更
【補正の内容】
【０００１】
本発明は、位置情報や地図情報の扱いにおいて利便性の高い情報処理装置、情報処理システム、及び情報処理方法に関する。
【手続補正４】
【補正対象書類名】明細書
【補正対象項目名】０００２
【補正方法】変更
【補正の内容】
【０００２】
ＧＰＳ（全地球測位システム）は、一般には、複数の人工衛星からの電波を受信し、その到達時間のずれから自分のいる緯度と経度等の地球上の位置情報を算出するシステムである。近年、ＧＰＳ機能を搭載した携帯電話機が多数開発されている。通信装置におけるＧＰＳの有効利用例としては、自装置の位置情報をＧＰＳ機能により取得し、ディスプレイの地図上に位置を表示する例がある。
【手続補正５】
【補正対象書類名】明細書
【補正対象項目名】０００３
【補正方法】変更
【補正の内容】
【０００３】
しかし、従来は、通信装置等における位置情報や地図情報の扱いにはまだまだ利便性に欠けるところがあった。
【手続補正６】
【補正対象書類名】明細書
【補正対象項目名】０００４
【補正方法】削除
【補正の内容】
【手続補正７】
【補正対象書類名】明細書
【補正対象項目名】０００５
【補正方法】削除
【補正の内容】
【手続補正８】
【補正対象書類名】明細書
【補正対象項目名】０００６
【補正方法】変更
【補正の内容】
【０００６】
本発明はかかる事情に鑑みてなされたものであり、位置情報や地図情報の扱いにおいて利便性の高い情報処理装置、情報処理システム、及び情報処理方法を提供することを目的とする。
【手続補正９】
【補正対象書類名】明細書
【補正対象項目名】０００７
【補正方法】変更
【補正の内容】
【０００７】
本発明の情報処理装置は、対象の位置を示す第１の位置情報を取得する位置情報取得手段と、上記位置情報取得手段によって取得した第１の位置情報を１以上記憶させる記憶手段と、対象を表す名称として任意に設定された名称と位置を示す第２の位置情報とを他の通信装置から取得する情報取得手段と、上記情報取得手段によって取得した名称と第２の位置情報とに基づいた１以上の第１の位置情報を上記記憶手段によって記憶させた１以上の第１の位置情報から検索する検索手段と、上記検索手段によって検索された１以上の第１の位置情報を他の通信装置に送信する送信手段と、を備えたものである。
【手続補正１０】
【補正対象書類名】明細書
【補正対象項目名】０００８
【補正方法】変更
【補正の内容】
【０００８】
上記位置情報取得手段は、第１の位置情報を上記対象から取得するとよい。
【手続補正１１】
【補正対象書類名】明細書
【補正対象項目名】０００９
【補正方法】変更
【補正の内容】
【０００９】
上記第１の位置情報は、対象が取得した位置情報であってよい。
【手続補正１２】
【補正対象書類名】明細書
【補正対象項目名】００１０
【補正方法】変更
【補正の内容】
【００１０】
上記位置情報取得手段によって取得した第１の位置情報で、上記記憶手段によって記憶された第１の位置情報を更新する更新手段を、さらに備えたものである。
【手続補正１３】
【補正対象書類名】明細書
【補正対象項目名】００１１
【補正方法】変更
【補正の内容】
【００１１】
上記検索手段は、上記情報取得手段によって取得した名称に対応する対象の位置が上記第２の位置情報に基づいた所定の領域に含まれる対象であって、該対象の位置を示す第１の位置情報を上記記憶手段によって記憶させた１以上の第１の位置情報から検索するとよい。
【手続補正１４】
【補正対象書類名】明細書
【補正対象項目名】００１２
【補正方法】変更
【補正の内容】
【００１２】
上記第２の位置情報に基づいた地図情報を他の通信装置に送信する地図情報送信手段を、さらに備えたものである。
【手続補正１５】
【補正対象書類名】明細書
【補正対象項目名】００１３
【補正方法】変更
【補正の内容】
【００１３】
上記検索手段によって検索された１以上の対象が表示された地図情報を他の通信装置に送信する第２の地図情報送信手段を、さらに備えたものである。
【手続補正１６】
【補正対象書類名】明細書
【補正対象項目名】００１４
【補正方法】変更
【補正の内容】
【００１４】
また、本発明の情報処理システムは、対象の位置を示す第１の位置情報を取得する位置情報取得手段と、上記位置情報取得手段によって取得した第１の位置情報を１以上記憶させる記憶手段と、対象を表す名称として任意に設定された名称と位置を示す第２の位置情報とを他の通信装置から取得する情報取得手段と、上記情報取得手段によって取得した名称と第２の位置情報とに基づいた１以上の第１の位置情報を上記記憶手段によって記憶させた１以上の第１の位置情報から検索する検索手段と、上記検索手段によって検索された１以上の第１の位置情報を他の通信装置に送信する送信手段と、を備えたものである。
上記位置情報取得手段は、第１の位置情報を上記対象から取得するとよい。
上記第１の位置情報は、上記対象が取得した位置情報であってよい。
上記位置情報取得手段によって取得した第１の位置情報で、上記記憶手段によって記憶された第１の位置情報を更新する更新手段を、さらに備えるとよい。
上記検索手段は、上記情報取得手段によって取得した名称に対応する対象であってその位置が上記第２の位置情報に基づいた所定の領域に含まれるような対象の位置を示す第１の位置情報を、上記記憶手段によって記憶させた１以上の第１の位置情報から検索するとよい。
上記第２の位置情報に基づいた地図情報を他の通信装置に送信する地図情報送信手段を、さらに備えるとよい。
上記検索手段によって検索された１以上の対象が表示された地図情報を他の通信装置に送信する第２の地図情報送信手段を、さらに備えるとよい。
【手続補正１７】
【補正対象書類名】明細書
【補正対象項目名】００１５
【補正方法】変更
【補正の内容】
【００１５】
また、本発明の情報処理方法は、情報処理装置に、対象の位置を示す第１の位置情報を取得する位置情報取得ステップと、上記位置情報取得ステップで取得した第１の位置情報を１以上記憶する記憶ステップと、対象を表す名称として任意に設定された名称と位置を示す第２の位置情報とを他の通信装置から取得する情報取得ステップと、上記情報取得ステップで取得した名称と第２の位置情報とに基づいた１以上の第１の位置情報を上記記憶ステップで記憶した１以上の第１の位置情報から検索する検索ステップと、上記検索ステップで検索した１以上の第１の位置情報を他の通信装置に送信する送信ステップと、を実行させる情報処理方法である。
上記位置情報取得ステップは、第１の位置情報を上記対象から取得するステップである。
上記第１の位置情報は、上記対象が取得した位置情報であってよい。
上記位置情報取得ステップで取得した第１の位置情報で、上記記憶ステップで記憶した第１の位置情報を更新する更新ステップを、さらに上記情報処理装置に実行させるとよい。
上記検索ステップは、上記情報取得ステップで取得した名称に対応する対象であってその位置が上記第２の位置情報に基づいた所定の領域に含まれるような対象の位置を示す第１の位置情報を、上記記憶ステップで記憶した１以上の第１の位置情報から検索するとよい。
上記第２の位置情報に基づいた地図情報を他の通信装置に送信する地図情報送信ステップを、さらに上記情報処理装置に実行させるとよい。
上記検索ステップで検索した１以上の対象が表示された地図情報を他の通信装置に送信する第２の地図情報送信ステップを、さらに上記情報処理装置に実行させるとよい。
【手続補正１８】
【補正対象書類名】明細書
【補正対象項目名】００１６
【補正方法】削除
【補正の内容】
【手続補正１９】
【補正対象書類名】明細書
【補正対象項目名】００１７
【補正方法】削除
【補正の内容】
【手続補正２０】
【補正対象書類名】明細書
【補正対象項目名】００１８
【補正方法】変更
【補正の内容】
【００１８】
本発明によれば、位置情報や地図情報の扱いにおいて利便性の高い情報検索装置、サーバ装置、情報検索方法、及び、サーバ装置の情報検索方法を提供することが可能となる。
【手続補正２１】
【補正対象書類名】明細書
【補正対象項目名】００１９
【補正方法】削除
【補正の内容】